(57)【要約】【課題】添着シートによる取付状態での見映えがよく、取付面からの取り外しも容易な吊下フックを提供する。【解決手段】基板部１に鉤部２を備え、基板部１を裏面側に付設した添着シート３により取付面Ｗに固定する吊下フックにおいて、鉤部２を基板部１の一端側に位置させて、基板部１を他端側へ延長すると共に、手で撓ませることができる平板状とし、添着シート３を基板部１からはみ出さないようにする。基板部１の長さにより、十分な固着力を確保しつつ、添着シート３が露出しない良好な体裁とすることができ、また、取付面Ｗからの取り外しに際し、鉤部２を手前に引き、基板部１を反らせるように撓ませることにより、添着シート３と取付面Ｗとの間に離反部分から順次空気を侵入させて、取付面Ｗから容易に取り外すことができる。【選択図】図３
2007268248.tif 000002
【特許請求の範囲】
【請求項１】
基板部(1)に鉤部(2)を備え、基板部(1)を裏面側に付設した添着シート(3)により取付面に固定する吊下フックにおいて、基板部(1)を撓ませることができる平板状とし、添着シート(3)を基板部(1)からはみ出さないようにしたことを特徴とする吊下フック。
【請求項２】
前記鉤部(2)を基板部(1)の一端側に位置させて、基板部(1)を他端側へ延長したことを特徴とする請求項１に記載の吊下フック。
【請求項３】
前記基板部(1)の裏面に、並行する複数条の溝(5)を設けて、基板部(1)に可撓性を付与したことを特徴とする請求項１又は２に記載の吊下フック。
【請求項４】
前記基板部(1)をヒンジ構造として、基板部(1)に可撓性を付与したことを特徴とする請求項１又は２に記載の吊下フック。
【請求項５】
前記基板部(1)に、端面で開口した工具挿入部(6)を設けたことを特徴とする請求項１に記載の吊下フック。
【請求項６】
前記鉤部(2)に、取付面側へ向いた紐掛用の補助鉤部(8)を設けたことを特徴とする請求項２に記載の吊下フック。
【請求項７】
前記鉤部(2)に、両側面に貫通する紐挿通用の貫穴(9)を設けたことを特徴とする請求項２に記載の吊下フック。
【発明の詳細な説明】
【技術分野】
【０００１】
この発明は、小物掛け等として使用される吊下フックに関するものである。
【背景技術】
【０００２】
従来、タイル面や樹脂面、金属塗装面、木質プリント合板、ガラス等に取り付けて小物を掛ける吊下フックとして、基板部に鉤部を備え、基板部を両面に接着剤層が設けられた添着シートにより取付面に接着して固定するものが使用されている。
【０００３】
ところが、このように接着式の添着シートで基板部を取付面に接着すると、接着剤が取付面に強力に付着して、取り外しが困難となるほか、取り外した後、接着剤が取付面に残存する場合がある。
【０００４】
このため、帯状の接着式添着シートを引き伸ばして接着力を弱め、基板部を取付面から取り外せるようにしたものも提供されているが、この場合、取り外し作業時に、引き伸ばされた添着シートの弾力により、保持部材が飛んで手に当たるおそれがある。
【０００５】
一方、このような接着式の添着シートを使用しない吊下フックとして、図１７に示すように、ブロック状の剛体である基板部５１に鉤部５２を備え、基板部５１を裏面側に付設した吸着式の添着シート５３により取付面に吸着させて固定するものが知られている。
【０００６】
この添着シート５３は、吸盤状の分子構造をもつ発泡アクリルフォームであり、自己吸着性及びクッション性を有し、基板部５１を取付面に押し付けて固定するものである。また、剥がしても取付面に剥がし跡が残らず、繰り返して使用することもできる。
【発明の開示】
【発明が解決しようとする課題】
【０００７】
しかしながら、図１７に示す吊下フックでは、吸着力を確保するため、添着シート５３が基板部５１からはみ出していることから、見映えがよくないだけでなく、取付面から取り外す際、添着シート５３を端部から捲らなければ、取り外しにくいという問題がある。
【０００８】
そこで、この発明は、取付状態での見映えがよく、取付面からの取り外しも容易な吊下フックを提供することを課題とする。
【課題を解決するための手段】
【０００９】
上記課題を解決するため、この発明は、基板部に鉤部を備え、基板部を裏面側に付設した添着シートにより取付面に固定する吊下フックにおいて、基板部を撓ませることができる平板状とし、添着シートを基板部からはみ出さないようにしたのである。
【００１０】
また、前記鉤部を基板部の一端側に位置させて、基板部を他端側へ延長し、基板部の長さにより十分な固着力を確保しつつ、鉤部を手で手前に引いて、基板部を撓ませることができるようにしたのである。
【００１１】
また、前記基板部に可撓性を付与するため、基板部の裏面に、並行する複数条の溝を設け、或いは、基板部をヒンジ構造としたのである。
【００１２】
また、前記基板部に、端面で開口した工具挿入部を設けて、ドライバー等の工具を差し込めるようにしたのである。
【００１３】
さらに、前記鉤部に、取付面側へ向いた紐掛用の補助鉤部を設け、この補助鉤部に掛けた紐を手前に引っ張ることができるようにしたのである。
【００１４】
また、前記鉤部に、両側面に貫通する紐挿通用の貫穴を設け、この貫穴に挿通した紐を手前に引っ張ることができるようにしたのである。
【発明の効果】
【００１５】
この吊下フックでは、添着シートが露出しない良好な体裁とすることができ、また、取付面からの取り外しに際し、鉤部を手前に引き、ドライバー等の工具を工具挿入部の開口から差し込んで、抉るように引き起こし、又は、鉤部を紐で手前に引っ張ることにより、基板部を反らせるように撓ませて、添着シートと取付面との間に離反部分から順次空気を侵入させ、取付面から容易に取り外すことができる。
【発明を実施するための最良の形態】
【００１６】
以下、この発明の実施形態を添付図面に基づいて説明する。
【００１７】
図１に示す第１実施形態に係る吊下フックは、プラスチックから成る平板状の基板部１に金属製の鉤部２を備え、基板部１の裏面側に添着シート３を付設したものであり、基板部１と添着シート３とは接着剤層を介して固定されている。
【００１８】
基板部１は、上下に長く、手で撓ませることができるものであり、鉤部２は、基板部１の下部に形成された肉盛部の穴に差し込まれている。添着シート３は、吸盤状分子構造をもつ発泡アクリルフォームであり、自己吸着性及びクッション性を有し、基板部１からはみ出さないようになっている。
【００１９】
いま、図２に示すように、この吊下フックを取付面Ｗに取り付けるには、基板部１を取付面Ｗに押し付けて、添着シート３と取付面Ｗとの間の空気を追い出し、添着シート３を取付面Ｗに密着させる。
【００２０】
この取付状態では、基板部１が従来のものより上下に長くなっていることから、十分な吸着力が確保され、また、添着シート３が基板部１から露出しないので、室内の目立つ場所などに取り付けても、良好な体裁となる。
【００２１】
一方、図３に示すように、この吊下フックを取付面Ｗから取り外すには、鉤部２を手前に引き、基板部１を反らせるように撓ませて、添着シート３と取付面Ｗとの間に離反部から順次空気を侵入させる。これにより、取付面Ｗから容易に取り外すことができる。
【００２２】
なお、上記第１実施形態では、プラスチック製の基板部１に金属製の鉤部２を差し込んだものを例示したが、図４に示す第２実施形態のように、基板部１と鉤部２とをプラスチックにより一体に成形してもよい。
【００２３】
また、図５に示す第３実施形態のように、鉤部２の基端に座部４を設け、座部４の上端に沿って基板部１が曲がり始めるようにすると、基板部１を容易に撓ませることができ、鉤部２の強度も高めることができる。
【００２４】
また、図６に示す第４実施形態のように、基板部１の裏面に、並行する複数条の溝５を設けると、基板部１の材料が硬めであっても、基板部１を容易に撓ませることができる。また、取付面Ｗへの取付時には、添着シート３と取付面Ｗとの間の空気を溝５の位置に逃がすことができ、添着シート３の取付面Ｗへの密着性を高めることができる。
【００２５】
さらに、図７に示す第５実施形態のように、基板部１を、複数の板片１ａがヒンジ部１ｂで屈伸可能に連結されたヒンジ構造とすると、板片１ａの材料自体が殆ど撓まないものであっても、基板部１を容易に撓ませることができる。
【００２６】
そのほか、図８及び図９に示す第６実施形態のように、基板部１に、下端面で開口した工具挿入部６を設け、その裏面側に添着シート３に貼着されたプラスチック製の保護片７を基板部１の下端から上方へ向けて設けてもよい。
【００２７】
この吊下フックでは、図１０に示すように、ドライバー等の工具Ｔを工具挿入部６の下端の開口から差し込んで、抉るように引き起こし、梃子の原理により基板部１を撓ませつつ、添着シート３と取付面Ｗとの間に下方から上方へ順次空気を侵入させて、取付面Ｗからの取り外しを容易に行うことができる。また、このとき、保護片７の存在により、支点となる工具Ｔの先端部が添着シート３を突き破って取付面Ｗを傷つけることもない。
【００２８】
さらに、図１１乃至図１３に示す第７実施形態のように、基板部１の下端部から延びる鉤部２に、取付面Ｗ側へ向いた補助鉤部８を設け、補助鉤部８に掛けた紐Ｓを手前に引っ張ることにより、基板部１を撓ませるようにしてもよい。
【００２９】
また、図１４乃至図１６に示す第８実施形態のように、基板部１の下端部から延びる鉤部２に、両側面に貫通する貫穴９を設け、この貫穴９に挿通した紐Ｓを手前に引っ張ることにより、基板部１を撓ませるようにしてもよい。
【００３０】
ところで、上記各実施形態では、添着シート３として、吸着式のものを例示したが、添着シート３が両面に接着剤を塗布した接着式のものであっても、同様の構成により、取付面Ｗから容易に取り外すことができる。この場合、添着シート３の接着力は、基板部１側が取付面Ｗ側よりも強くなるようにしておくとよい。
【図面の簡単な説明】
【００３１】
【図１】この発明の第１実施形態に係る吊下フックを示す斜視図
【図２】同上の取付面への取付状態を示す側面図
【図３】同上の取付面からの取外し過程を示す側面図
【図４】この発明の第２実施形態に係る吊下フックを示す斜視図
【図５】この発明の第３実施形態に係る吊下フックを示す斜視図
【図６】この発明の第４実施形態に係る吊下フックを示す斜視図
【図７】この発明の第５実施形態に係る吊下フックを示す斜視図
【図８】この発明の第６実施形態に係る吊下フックを示す斜視図
【図９】同上の取付面への取付状態を示す縦断側面図
【図１０】同上の取付面からの取外し過程を示す縦断側面図
【図１１】この発明の第７実施形態に係る吊下フックを示す斜視図
【図１２】同上の取付面への取付状態を示す側面図
【図１３】同上の取付面からの取外し過程を示す側面図
【図１４】この発明の第８実施形態に係る吊下フックを示す斜視図
【図１５】同上の取付面への取付状態を示す側面図
【図１６】同上の取付面からの取外し過程を示す側面図
【図１７】従来の吸着式吊下フックを示す斜視図
【符号の説明】
【００３２】
１  基板部
１ａ  板片
１ｂ  ヒンジ部
２  鉤部
３  添着シート
４  座部
５  溝
６  工具挿入部
７  保護片
８  補助鉤部
９  貫穴
【図１】
2007268248.tif 000003
【図２】
2007268248.tif 000004
【図３】
2007268248.tif 000005
【図４】
2007268248.tif 000006
【図５】
2007268248.tif 000007
【図６】
2007268248.tif 000008
【図７】
2007268248.tif 000009
【図８】
2007268248.tif 000010
【図９】
2007268248.tif 000011
【図１０】
2007268248.tif 000012
【図１１】
2007268248.tif 000013
【図１２】
2007268248.tif 000014
【図１３】
2007268248.tif 000015
【図１４】
2007268248.tif 000016
【図１５】
2007268248.tif 000017
【図１６】
2007268248.tif 000018
【図１７】
2007268248.tif 000019